(57)【要約】【課題】ルーバーにプランターなどを取り付けるためにルーバーに別途加工を施す必要がなく、ルーバー壁の組み立てのために形成されたルーバーの溝を利用してプランターなどを取り付けることができるようにする。【解決手段】下地材１に対しＬ型のブラケット４をボルト、ナットにより取り付け、このブラケット４に対し長尺状で断面Ｌ型を呈しルーバー取り付け位置となる箇所に溝が長さ方向に等間隔おきに形成されてなるストリンガー３をボルト、ナットにより取り付け、前記ストリンガー３およびプランターの受け金具１３との連結用溝９を備えてなるルーバー２を、前記連結用溝９の内側に頭部が嵌入され連結用溝９から突出するボルトの雄ねじ軸に前記ストリンガー３の溝を嵌め込み、このボルトの雄ねじ軸にナットを螺合させて締め付けストリンガー３に取り付けてなる。【選択図】図６
2008169591.tif 000002
【特許請求の範囲】
【請求項１】
下地材に対しＬ型のブラケットをボルト、ナットにより取り付け、このブラケットに対し長尺状で断面Ｌ型を呈しルーバー取り付け位置となる箇所に溝が長さ方向に等間隔おきに形成されてなるストリンガーをボルト、ナットにより取り付け、前記ストリンガーおよびプランターなどの支持用金具との連結用溝を備えてなるルーバーを、前記連結用溝の内側に頭部が嵌入され連結用溝から突出するボルトの雄ねじ軸に前記ストリンガーの溝を嵌め込み、このボルトの雄ねじ軸にナットを螺合させて締め付けストリンガーに取り付けてなることを特徴とするルーバー壁。
【発明の詳細な説明】
【技術分野】
【０００１】
本発明は、例えば建物の境界に沿って目隠しのために設けられるルーバー壁に関するものである。
【背景技術】
【０００２】
従来のこの種目隠し壁としては例えば特許文献１に開示されているものが知られている。この特許文献１に開示されているものは、複数枚の横長ルーバーをオーバーラップさせて上下に並べると共に、これらの横長ルーバーの左右端部を左右の竪枠内に嵌入させて左右の竪枠間に横長ルーバーを取り付けてなるものが知られている。そして、詳しくは横長ルーバーは垂直板と、垂直板の上端から後ろ上がりに傾斜する上部傾斜板と、上部傾斜板の後端から垂直に立ち上がる立ち上がり片とを備えている。
【特許文献１】特開２００５−２６４４４０号公報
【発明の開示】
【発明が解決しようとする課題】
【０００３】
上記特許文献１に記載の横長ルーバーは垂直板と、垂直板の上端から後ろ上がりに傾斜する上部傾斜板と、上部傾斜板の後端から垂直に立ち上がる立ち上がり片とを備えた形であり、ルーバー壁の内側においてルーバーにプランターなどを取り付けるための箇所を備えておらず、ルーバーにプランターなどを取り付けるためにルーバーに別途加工を施すなりしなければならないという問題があった。
【０００４】
本発明の目的は、このような課題を解決するものであり、ルーバーにプランターなどを取り付けるためにルーバーに別途加工を施す必要がなく、ルーバー壁の組み立てのために形成されたルーバーの溝を利用してプランターなどを取り付けることができるようにし、ルーバー壁の施工場所によって下地材を縦方向や横方向の何れに向かせてもルーバー壁の組み立てが行なえるようにしたルーバー壁を提供することにある。
【課題を解決するための手段】
【０００５】
本発明の請求項１に記載のルーバー壁は、下地材に対しＬ型のブラケットをボルト、ナットにより取り付け、このブラケットに対し長尺状で断面Ｌ型を呈しルーバー取り付け位置となる箇所に溝が長さ方向に等間隔おきに形成されてなるストリンガーをボルト、ナットにより取り付け、前記ストリンガーおよびプランターなどの支持用金具との連結用溝を備えてなるルーバーを、前記連結用溝の内側に頭部が嵌入され連結用溝から突出するボルトの雄ねじ軸に前記ストリンガーの溝を嵌め込み、このボルトの雄ねじ軸にナットを螺合させて締め付けストリンガーに取り付けてなることを特徴とする。
【発明の効果】
【０００６】
以上のように、本発明のルーバー壁は、ルーバーにプランターなどの支持用金具との連結用溝が形成されているので、プランターなどを取り付けるためにルーバーに別途加工を施す必要がなく、ルーバー壁の組み立てのために形成された連結用溝を利用してプランターなどを取り付けることができる。また、ルーバー壁の施工場所によって下地材を縦方向や横方向の何れに向かせてもルーバー壁の組み立てが容易に行なえるようにしたルーバー壁を提供することができる。
【発明を実施するための最良の形態】
【０００７】
以下、本発明の実施の形態を、図面に基づき具体的に説明する。
先ず、図１〜図７に示す第１の実施の形態について説明すると、１は下端が地面に支持されて縦方向に立設された下地材で、この下地材１はルーバー壁形成部における幅方向両端近傍に設けられている。この下地材１にはルーバー２を取り付けるストリンガー３を結合させるためのブラケット４が上下両端近傍に取り付けられる。下地材１は断面形状がＣ型を呈し、この下地材１の１つの壁面に直角に折れ曲げられたＬ型形状のブラケット４の下向きの板部４ａを当てがい、下地材１に対してブラケット４をボルト５およびナット６により結合させている。前記ストリンガー３は長尺状で断面Ｌ型を呈し、ブラケット４の上端の水平な板部４ｂにストリンガー３の下端の水平な板部３ａが載せられ、ボルト７およびナット８により結合させている。ストリンガー３には前記水平な板部３ａから立ち上がる板部３ｂのルーバー取り付け位置となる箇所に上端より上下方向に向く溝３ｃがストリンガー３の長さ方向に等間隔おきに形成されている。前記ルーバー２は断面形状が長方形を呈し、短辺側の１つの側面には連結用溝９が開口して形成され、この連結用溝９の内側には連結用溝９の幅よりも大きな幅の凹部１０が形成されている。そこで、前記ストリンガー３に対するルーバー２の取り付けはルーバー２の連結用溝９の内側の凹部１０にに頭部１１ａが嵌入され連結用溝９から突出するボルト１１の雄ねじ軸１１ｂに前記ストリンガー３の溝３ｃを下方から嵌め込み、板部３ｂの内面側に突出する雄ねじ軸１１ｂにナット１２を螺合させて締め付けることにより行なわれる。
【０００８】
なお、前記ストリンガー３は長さ方向の両端近傍が前記下地材１に結合され、下地材１の上下両端近傍においてそれぞれ設けられる。
前述のように下地材１に対してブラケット４、ストリンガー３を介してルーバー２が等間隔おきに縦方向に取り付けられるのであるが、その取り付け側が敷地の内側に向くように施工されるものである。従って、敷地の内側に向いて前記各ルーバー２の連結用溝９が面するようになり、上下のストリンガー３，３間で２本の適当なルーバー２，２の連結用溝９，９にそれぞれプランターの受け金具１３を取り付け、この受け金具１３にプランター１４を載せることができるようになっている。ルーバー２の連結用溝９に対する受け金具１３の取り付けは、ルーバー２をストリンガー３に連結する前に予めルーバー２の連結用溝９の内側の凹部１０に頭部１５ａが嵌入されたボルト１５を利用して、溝９から突出する雄ねじ軸１５ｂに受け金具１３の上端近傍の孔１３ａを嵌め込み、孔１３ａから突出する雄ねじ軸１５ｂにナット１６を螺合させて締め付けることにより行なわれる。なお、ルーバー２の連結用溝９に対する受け金具１３の取り付けのために１つの受け金具１３に対しボルト１５、ナット１６の締め付けを２箇所で行なっている。ところで、図面に示す実施の形態では２本の適当なルーバー２，２の溝９，９にそれぞれ受け金具１３を取り付けて２つの受け金具１３でプランター１４を受けるようにしているが、図面に示すような受け金具１３を用いる代わりに他の形状の受け金具を用いたり、あるいは植木ポットを吊り下げるための吊り下げ金具などを用いることも可能であり、要はルーバー２の連結用溝９を利用してプランター１４などをセットできるものであれば図面に示す実施の形態に限定されるものではない。
【０００９】
さらに、図面に示す実施の形態では下地材１はルーバー壁形成部における幅方向両端近傍に設けられているが、ルーバー壁形成部が大きな場合はルーバー壁形成部における幅方向中間部などにもストリンガー３を介してルーバー２を支持する下地材１を立設させておいても良い。
【００１０】
なお、前記下地材１、ブラケット４、ストリンガー３、ルーバー２は金属製であり、その材料は特に限定されるものではない。
次に、図８〜図９に示す第２の実施の形態について説明すると、この実施の形態はルーバー２を横方向に等間隔おきに取り付ける場合であって、この場合に使用する下地材１、ブラケット４、ストリンガー３は第１の実施の形態と同じであり、第１の実施の形態と異なるのはストリンガー３を下地材１と平行に縦方向に向くようにブラケット４を介して下地材１に取り付けており、この縦方向に向くストリンガー３に対して直角にルーバー２を横方向に取り付けている。
【００１１】
なお、下地材１は必ずしも下端が地面に支持されて縦方向に立設されたものでなくても良く、壁と壁との開口部にルーバー壁を設ける場合は下地材１を横方向に向けてその両端を壁に支持させるようにしても良い。このような場合でも、前述と同様のブラケット４およびストリンガー３を用いてルーバー２を取り付けることができるものである。
【００１２】
また、ルーバー２の形状は図面に示す実施の形態に限定されるものではなく、要はルーバー２にストリンガー３およびプランター１４などの支持用金具との連結用溝を備えておれば良い。
【図面の簡単な説明】
【００１３】
【図１】本発明の第１の実施の形態における縦型のルーバー壁の正面図である。
【図２】同ルーバー壁の平面図である。
【図３】同ルーバー壁の側面図である。
【図４】同ルーバー壁の背面図である。
【図５】同ルーバーの取り付け部の拡大斜視図である。
【図６】同ルーバー壁の背面側においてプランターを受けた状態を示す斜視図である。
【図７】同ルーバー壁に対するプランター受け金具の取り付け部の拡大断面図である。
【図８】本発明の第２の実施の形態における横型のルーバー壁の正面図である。
【図９】同ルーバーの取り付け部の拡大斜視図である。
【符号の説明】
【００１４】
１            下地材
２            ルーバー
３            ストリンガー
３ａ，３ｂ    板部
３ｃ          溝
４            ブラケット
４ａ，４ｂ    板部
５            ボルト
６            ナット
７            ボルト
８            ナット
９            連結用溝
１０            凹部
１１            ボルト
１１ａ          頭部
１１ｂ          雄ねじ軸
１２            ナット
１３            受け金具
１３ａ          孔
１４            プランター
１５            ボルト
１５ａ          頭部
１５ｂ          雄ねじ軸
１６            ナット
【図１】
2008169591.tif 000003
【図２】
2008169591.tif 000004
【図３】
2008169591.tif 000005
【図４】
2008169591.tif 000006
【図５】
2008169591.tif 000007
【図６】
2008169591.tif 000008
【図７】
2008169591.tif 000009
【図８】
2008169591.tif 000010
【図９】
2008169591.tif 000011